(57)【要約】【課題】  設置作業が簡単で、外観が良く且つラックとの取付部や配管があるところでは配管の劣化を防止できる太陽熱集熱装置を提供する。【解決手段】  本発明にかかる太陽熱集熱装置１において、ラック２１は、集熱器取付部２３と太陽電池パネル取付部２５を有すると共に取り付けた集熱器５と太陽電池パネル７の上面が略面一になるように集熱器取付部２３と太陽電池パネル取付部２５に段差Ｔ１を設けてあり、間カバー９は集熱器５と太陽電池パネル７との間を覆っており且つ集熱器５の端部５ｄを挟持する挟持部３３を有し、間カバー固定具３５ａで挟持部３３を締め付けて間カバー９を集熱器５に固定してある。【選択図】図１
2014037925.tif 000002
【特許請求の範囲】
【請求項１】
集熱器と、太陽電池パネルと、ラックと、間カバーと、間カバー固定具とを備え、ラックは、集熱器取付部と太陽電池パネル取付部を有すると共に取り付けた集熱器と太陽電池パネルの上面が略面一になるように集熱器取付部と太陽電池パネル取付部に段差を設けてあり、間カバーは集熱器と太陽電池パネルとの間を覆っており且つ集熱器の端部を挟持する挟持部を有し、間カバー固定具で挟持部を締め付けて間カバーを集熱器に固定してあることを特徴とする太陽熱集熱装置。
【請求項２】
集熱器と、ラックと、間カバーと、間カバー固定具と、棟側カバーとを備え、ラックは、集熱器取付部と太陽電池パネル取付部を有すると共に取り付けた集熱器と太陽電池パネルの上面が略面一になるように集熱器取付部と太陽電池パネル取付部に段差を設けてあり、間カバーは集熱器の棟側端部外側を覆っており且つ集熱器の棟側端部を挟持する挟持部を有し、間カバー固定具で挟持部を締め付けて間カバーを集熱器に固定してあり、棟側カバーは、間カバーに取付けてラックの太陽電池パネル取付部を覆っていることを特徴とする太陽熱集熱装置。
【請求項３】
集熱器と、ラックと、間カバーと、間カバー固定具と、棟側カバー又は太陽電池パネルとを備え、棟側カバーと太陽電池パネルとは選択自在であり、ラックは、集熱器取付部と太陽電池パネル取付部を有すると共に取り付けた集熱器と太陽電池パネルの上面が略面一になるように集熱器取付部と太陽電池パネル取付部に段差を設けてあり、間カバーは集熱器の棟側端部を挟持する挟持部を有し、間カバー固定具で挟持部を締め付けて間カバーを集熱器に固定してあり、ラックの太陽電池パネル取付部に太陽電池パネルを取り付ける場合には、間カバーが集熱器と太陽電池パネルとの間を覆い、ラックの太陽電池パネル取付部に太陽電池パネルを取り付けない場合には、間カバーに棟側カバーを取付けてラックの太陽電池パネル取付部を覆うことを特徴とする太陽熱集熱装置。
【請求項４】
集熱器と、ラックと、軒側カバーと、軒側カバー固定具とを備え、ラックは、集熱器取付部を有し、軒側カバーは集熱器の軒側端部外側でラックを覆っており且つ集熱器の軒側端部を挟持する挟持部を有し、軒側カバー固定具で挟持部を締め付けて軒側カバーを集熱器に固定してあることを特徴とする太陽熱集熱装置。
【発明の詳細な説明】
【技術分野】
【０００１】
本発明は、屋根に取付けて太陽熱を集熱器で受ける太陽熱集熱装置に関する。
【背景技術】
【０００２】
非特許文献１には、屋根に取り付ける集熱器が開示されている。非特許文献１には、かかる集熱器を屋根に取り付けた状態が詳細に示されていないが、集熱器はラック（構造材）で屋根に取り付けると共に、集熱器の端部の外側に配管を設けている。
【先行技術文献】
【特許文献】
【０００３】
【非特許文献１】第２４頁「太陽エネルギー総合カタログ２０１２．ＩＩ」株式会社ノーリツ  ２０１２年５月発行
【発明の概要】
【発明が解決しようとする課題】
【０００４】
しかし、太陽熱集熱装置は集熱器の配管や集熱器を屋根に取り付けるためのラック（構造材）が剥き出しになっていたので、外観を損なうと共にラックとの取付部や配管があるところでは取付部や配管が風雨に晒されて劣化し易いという問題があった。
また、太陽熱集熱装置は高所での設置作業になるので、簡単に作業できることが望まれている。
【０００５】
そこで、本発明は、設置作業が簡単で、外観が良く且つラックとの取付部や配管があるところでは配管の劣化を防止できる太陽熱集熱装置の提供を目的とする。
【課題を解決するための手段】
【０００６】
請求項１に記載の発明は、集熱器と、太陽電池パネルと、ラックと、間カバーと、間カバー固定具とを備え、ラックは、集熱器取付部と太陽電池パネル取付部を有すると共に取り付けた集熱器と太陽電池パネルの上面が略面一になるように集熱器取付部と太陽電池パネル取付部に段差を設けてあり、間カバーは集熱器と太陽電池パネルとの間を覆っており且つ集熱器の端部を挟持する挟持部を有し、間カバー固定具で挟持部を締め付けて間カバーを集熱器に固定してあることを特徴とする太陽熱集熱装置である。
【０００７】
請求項２に記載の発明は、集熱器と、ラックと、間カバーと、間カバー固定具と、棟側カバーとを備え、ラックは、集熱器取付部と太陽電池パネル取付部を有すると共に取り付けた集熱器と太陽電池パネルの上面が略面一になるように集熱器取付部と太陽電池パネル取付部に段差を設けてあり、間カバーは集熱器の棟側端部外側を覆っており且つ集熱器の棟側端部を挟持する挟持部を有し、間カバー固定具で挟持部を締め付けて間カバーを集熱器に固定してあり、棟側カバーは、間カバーに取付けてラックの太陽電池パネル取付部を覆っていることを特徴とする太陽熱集熱装置である。
【０００８】
請求項３に記載の発明は、集熱器と、ラックと、間カバーと、間カバー固定具と、棟側カバー又は太陽電池パネルとを備え、棟側カバーと太陽電池パネルとは選択自在であり、ラックは、集熱器取付部と太陽電池パネル取付部を有すると共に取り付けた集熱器と太陽電池パネルの上面が略面一になるように集熱器取付部と太陽電池パネル取付部に段差を設けてあり、間カバーは集熱器の棟側端部を挟持する挟持部を有し、間カバー固定具で挟持部を締め付けて間カバーを集熱器に固定してあり、ラックの太陽電池パネル取付部に太陽電池パネルを取り付ける場合には、間カバーが集熱器と太陽電池パネルとの間を覆い、ラックの太陽電池パネル取付部に太陽電池パネルを取り付けない場合には、間カバーに棟側カバーを取付けてラックの太陽電池パネル取付部を覆うことを特徴とする太陽熱集熱装置である。
【０００９】
請求項４に記載の発明は、集熱器と、ラックと、軒側カバーと、軒側カバー固定具とを備え、ラックは、集熱器取付部を有し、軒側カバーは集熱器の軒側端部外側でラックを覆っており且つ集熱器の軒側端部を挟持する挟持部を有し、軒側カバー固定具で挟持部を締め付けて軒側カバーを集熱器に固定してあることを特徴とする太陽熱集熱装置である。
【発明の効果】
【００１０】
請求項１記載の発明によれば、間カバーが集熱器と太陽電池パネルとの間にあるラックとの取付部や配管がある場合には配管を覆うので、外観が良く且つこれらの劣化を防止できる。
間カバーは、挟持部を間カバー固定具で締め付けて集熱器に固定しているので、取り付け作業が簡単にできる。
ラックの集熱器取付部と太陽電池パネル取付部とには段差を設けて、取り付けた集熱器と太陽電池パネルの上面を略面一にしているので、集熱器と太陽電池パネルを併設しても統一感を得ることができる。
【００１１】
請求項２記載の発明によれば、集熱器の棟側端部に取り付けた間カバーと棟側カバーとで集熱器の棟側端部や、ラックの太陽電池パネル取付部や、配管がある場合には配管を覆うので、外観が良く且つこれらの劣化を防止できる。
間カバーは、挟持部を間カバー固定具で締め付けて集熱器に固定しているので、間カバーの取り付け作業が簡単にできる。
ラックの集熱器取付部と太陽電池パネル取付部とには段差を設けて、取り付けた集熱器と太陽電池パネルの上面を略面一にしているので、棟側カバーを外して集熱器と太陽電池パネルを併設したときに統一感を得ることができる。
【００１２】
請求項３記載の発明によれば、太陽電池パネルを併設する場合には、間カバーが集熱器と太陽電池パネルとの間にあるラックとの取付部や配管がある場合には配管を覆うので、外観が良く且つこれらの劣化を防止できる。
太陽電池パネルを併設しない場合には、集熱器の棟側端部に取り付けた間カバーと棟側カバーとで、集熱器の棟側端部や、ラックの太陽電池パネル取付部や、配管がある場合には配管を覆うので、外観が良いと共にこれらの劣化を防止できる。
間カバーは、挟持部を間カバー固定具で締め付けて集熱器に固定しているので、取り付け作業が簡単にできる。
ラックの集熱器取付部と太陽電池パネル取付部とには段差を設けて取り付けて、集熱器と太陽電池パネルの上面を略面一にしているので、集熱器と太陽電池パネルを併設した場合に統一感を得ることができる。
【００１３】
請求項４記載の発明によれば、集熱器の軒側端部に取り付けた軒側カバーが集熱器とラックとの取付部や、配管がある場合には配管を覆うので、外観が良いと共にこれらの劣化を防止できる。
軒側カバーは、挟持部を軒側カバー固定具で締め付けて集熱器に固定しているので、軒側カバーの取り付け作業が簡単にできる。
【図面の簡単な説明】
【００１４】
【図１】本発明の第１実施の形態にかかる太陽熱集熱装置の図であり、図６に示すＡ−Ａ断面図である。
【図２】本発明の第１実施の形態にかかる太陽熱集熱装置の図であり、図６に示すＢ−Ｂ縦断面図である。
【図３】本発明の第１実施の形態にかかる太陽熱集熱装置の図であり、図６に示すＣ−Ｃ縦断面図である。
【図４】本発明の第１実施の形態にかかる太陽熱集熱装置の図であり、図６に示すＥ−Ｅ縦断面図である。
【図５】本発明の第１実施の形態にかかる太陽熱集熱装置の図であり、図６に示すＦ−Ｆ縦断面図である。
【図６】本発明の第１実施の形態にかかる太陽熱集熱装置を屋根に設置した状態を示す平面図である。
【図７】本発明の第２実施の形態にかかる太陽熱集熱装置の図であり、図８に示すＧ−Ｇ縦断面図である。
【図８】本発明の第２実施の形態にかかる太陽熱集熱装置を屋根に設置した状態を示す平面図である。
【発明を実施するための形態】
【００１５】
以下に、添付図面の図１〜図６を参照して本発明の第１実施の形態を詳細に説明する。図６に示すように、第１実施の形態に係る太陽熱集熱装置１は、屋根３の棟３ａと軒３ｂとの間に設置してあり、集熱器５と、太陽電池パネル７とを備えている。
この第１実施の形態では、２つの集熱器５を左右に並べて配置すると共に、２つの集熱器５、５の棟３ａ側と正面から見て左側とに複数の太陽電池パネル７を並べて、集熱器５と太陽電池パネル７との集合体を構成している。
左右に並べた２つの集熱器５の周囲には間カバー９と、軒側カバー１１と、サイドカバー１３と、隙間カバー１５とが設けてあり、２つの集熱器５、５間にはセンターカバー１７が設けてある。
図１に示すように、屋根３には下地材１９が設けてあり、下地材１９にラック（横ラック）２１が固定されており、ラック２１に集熱器５と集熱器５の棟側に配置した太陽電池パネル７が取り付けられている。
【００１６】
ラック２１は、集熱器取付部２３と太陽電池パネル取付部２５を有しており、太陽電池パネル取付部２５を集熱器取付部２３より厚み方向の高さを高くした段差Ｔ１を形成してあり、取り付けた集熱器５の上面５ａと太陽電池パネル７の上面７ａが略面一になる高さとしている。換言すると、段差Ｔ１は、集熱器５の厚みＭ１と太陽電池パネル７の厚みＭ２との略差分としてある。ラック２１の太陽電池パネル取付部２５側には、上方に突設する間カバー係合部２２が設けてある。間カバー係合部２２は太陽電池パネル７に当接して位置決めする位置決め部も兼ねている。
集熱器５の棟側端５ｂの下部には被係止部５ｃが形成してあり、棟側端５ｂの上部には棟側に突設する端部５ｄが形成してある。ラック２１の集熱器取付部２３には、ボルト２７で固定した係止具２９が取り付けてあり、係止具２９の係止部２９ａが集熱器５の被係止部５ｃに係止して、集熱器取付部２３に集熱器５を固定している。
【００１７】
太陽電池パネル７の軒側端７ｂの下部には、被係止部７ｃが形成してあり、ラック２１の太陽電池パネル取付部２５には、棟側を開口した係止溝３１が形成してあり、係止溝３１に太陽電池パネル７の被係止部７ｃを嵌合して太陽電池パネル取付部２５に太陽電池パネル７を取付けている。
【００１８】
間カバー９は、集熱器５と太陽電池パネル７との間を覆っており且つ集熱器５の端部５ｄを挟持する挟持部３３を有している。挟持部３３は、集熱器５の端部５ｄの上側を覆う一方側挟持部３３ａと、端部５ｄの下側に設けた他方側挟持部３３ｂとを有し、他方側挟持部３３ｂは間カバー９と別体の断面Ｌ字形状の金具である。他方側挟持部３３ｂは、間カバー９に取り付けた間カバー固定具３５ａの締め付けにより、一方側挟持部３３ａと他方側挟持部３３ｂとの間に集熱器５の端部５ｄを挟んで固定している。
間カバー固定具３５ａはボルトであり、他方側挟持部３３ｂは間カバー固定具３５ａの軸部に螺合しており、間カバー固定具３５ａを回すことにより、他方側挟持部３３ｂが一方側挟持部３３ａ側に移動して、端部５ｄを挟持すると共に断面Ｌ字の起立部３４を間カバー９に形成した溝９ａに嵌合させている。
間カバー固定具３５ａの軸部の下端部には、外径が他方側挟持部３３ｂの螺合孔３６よりも大きい径を有する落下防止材３８が設けてあり、他方側挟持部３３ｂが間カバー固定具３５ａから落下するのを防止している。
また、間カバー９は太陽電池パネル７側に下方に延出する脚部９ｂを有しており、脚部９ｂの下端はラック２１の間カバー係合部２２に対向して配置してあり、間カバー９が集熱器５の端部５ｄの回りを回ろうとしたときに、脚部９ｄが間カバー係合部２２に係合して間カバー９が回って外れるのを防止している。
【００１９】
図２に示すように、集熱器５の軒側端部には上部に端部５ｄが設けてあると共に下部に当接部５ｅが設けてあり、下地材１９に固定した軒側ラック（ラック）３７の被当接部３９に当接して取り付けてある。
軒側ラック３７の軒側には上方に起立する軒側カバー係合部４１が設けてある。
軒側カバー１１は、集熱器５の軒側ラック３７を覆っており且つ集熱器５の端部５ｄを挟持する挟持部３３及び軒側カバー固定具３５ｂを有している。軒側カバー１１の挟持部３３は、間カバーの挟持部３３と同様の構成であるから、以下の説明では、同一の作用効果を奏する部分には、同一の符号を付してその部分の詳細な説明を省略する。また、軒側カバー固定具３５ｂは、間カバー固定具３５ａと同種のボルトである。
軒側カバー１１には、軒側ラック３７の軒側カバー係合部４１に対向する被係合部１１ａを有し、軒側カバー１１が端部５ｄの回りを回ろうとしたときに、係合して外れるのを防止している。
【００２０】
図３に示すように、サイドカバー１３は、断面略コ字形状を成しており、図６を正面から見て右側の集熱器５の右側端部を覆っていると共にパイプスペース４３を有している。サイドカバー１３の下側の集熱器側端には被係止部１３ａが形成してあり、集熱器５の係止部５ｃに係止して取り付けている。
サイドカバー１３の上部の集熱器側には、挟持部３３及びサイドカバー固定具３５ｃが設けてあり、集熱器５の端部５ｄに挟持して固定している。サイドカバー固定具３５ｃは、間カバー固定具３５ａと同種のボルトである。
【００２１】
図４に示すように、隙間カバー１５は、集熱器５とその左右方向の隣りに位置する太陽電池パネル７との間に架設して集熱器５と太陽電池パネル７との間を覆っている。隙間カバー１５は集熱器固定部４５と、太陽電池パネル固定部４７とを備えている。集熱器固定部４５は、間カバー９の挟持部３３と略同じ構成としてあり、挟持部３３を隙間カバー固定具３５ｄで締め付けて、集熱器５の端部５ｄを挟持して固定してある。隙間カバー固定具３５ｄは、間カバー固定具３５ａと同種のボルトである。
太陽電池パネル固定部４７は、カバー支持金具４９の一端部４９ａをボルト５１で太陽電池パネル５の支持枠５３に固定し、カバー支持金具４９の他端部４９ｂをボルト５３で隙間カバー１５に固定している。
尚、図６に示すように、隙間カバー１５の棟側端は間カバー９の上に重ねてねじ５４で固定してあり、軒側端は軒側カバー１１の上に重ねてねじ５４で固定してある。
【００２２】
図５及び図６に示すように、センターカバー１７は、左右の集熱器５、５間に架設して、左右の集熱器５、５間を覆っている。図５に示すように、センターカバー１７の左右端は、各々集熱器５の端部５ｄに上から被せて係止してあり、図６に示すように、センターカバー１７の棟側端は間カバー９の下に重ねてねじ５５で固定してあり、同様にセンターカバー１７の軒側端は軒側カバー１１の下に重ねてねじ５５で固定してある。
【００２３】
次に、図７及び図８を参照して本発明の第２実施の形態について説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図８に示すように、この第２実施の形態では、太陽電池パネル７を併設せずに、集熱器５のみを屋根に設置する場合を示している。即ち、２つの集熱器５、５は第１実施の形態と同様に隣り合わせに設けてあり、２つの集熱器５、５の周囲において、左右の両側にそれぞれサイドカバー１３を設けていると共に棟側には棟カバー１８を取り付けていることが、第１実施の形態と異なっている。
図７に示すように、棟側カバー１８は、ラック２１の棟側を覆うものであり、間カバー９に固定する固定部１８ａと、ラック２１の係止溝３１に係止する係止部１８ｂとを備えている。間カバー９及びラック２１は、第１実施の形態と同種のものを用いている。固定部１８ａは、間カバー９に棟カバー固定具５７で固定し、係止部１８ｂを太陽電池パネル取付部２３に載置し且つ係止溝３１に係止して取り付けてある。棟カバー固定具５７はねじである。
【００２４】
次に、第１及び第２実施の形態にかかる太陽熱集熱装置１の施工、作用及び効果について説明する。
第１実施の形態にかかる太陽熱集熱装置１を施工する場合には、図１及び図２に示すように、屋根３に下地材１９を設置した後、下地材１９に各ラック２１、３７を取り付け、ラック２１、３７に２つの集熱器５、５を各々取り付ける。集熱器５、５の取り付けは、図２に示すように、軒側ラック３７の被当接部３９に集熱器５の軒側端の当接部５ｅを当てた後、図１に示すように、ラック（横ラック）２１の集熱器取付部２３に集熱器５の棟側端５ｂを載置して、係止具２９の係止部２９ａを周熱器５の係止部５ｃに係止した後、ボルト２７を締め付けて集熱器５をラック２１に固定する。
このようにして左右の集熱器５、５をラック２１に固定した後、センターカバー１７を集熱器５、５間に配置する。センターカバー１７は、屋根の勾配が急な場合等必要に応じてテープで止めておく。
一方、図６に示すように、集熱器５、５の棟側及び正面から見て左側に各太陽電池パネル７を設置する。
【００２５】
次に、図２に示すように、軒側カバー１１を取り付ける。軒側カバー１１の取り付けは、一方側挟持部３３ａを集熱器５の端部５ｄに上から被せて、軒側カバー固定具３５ｂを締めて、二点鎖線で示す位置に他方側挟持部３３ｂを移動して仮止めする。
次に、図１に示すように、間カバー９を集熱器５の棟側端に取り付ける。間カバー９の取り付けは、集熱器５の端部５ｄに一方側挟持部３３ａを被せて、間カバー固定具３５ａを締め、他方側挟持部３３ｂを二点鎖線で示す位置に仮止めする。
尚、間カバー固定具３５ａ、軒側カバー固定具３５ｂ、サイドカバー固定具３５ｃ及び隙間カバー固定具３５ｄには設置作業前に各々軸部に他方側挟持部３３ｂを螺合してあると共に落下防止部材３８により他方側挟持部３３ｂが外れるのを防止している。
【００２６】
次に、右側集熱器５の右側端にサイドカバー１３を取り付ける。図３に示すように、サイドカバー１３の取り付けは、被係止部１３ａを集熱器５の係止部５ｃに係止し、集熱器５の端部５ｄに一方側挟持部３３ａを被せた後、サイドカバー固定具３５ｃを締めて図３に二点鎖線で示す位置に仮止めする。
【００２７】
隙間カバー１５の取り付けは、図４に示すように、太陽電池パネル７の支持枠５３にカバー支持金具４９の一端部４９ａをボルト５１で固定し、カバー支持金具４９の他端部４９ｂと集熱器５の端部５ｄの上に隙間カバー１５を被せ、隙間カバー固定具３５ｄを締めてカバー支持金具４９に固定する。
更に、図６に示すように、サイドカバー１３と隙間カバー１５の棟側端部及び軒側端部をねじ５４、５５で固定する。
その後、間カバー固定具３５ａ、軒側カバー固定具３５ｂ、サイドカバー固定具３５ｃ及び隙間カバー固定具３５ｄを本締めする。
【００２８】
つぎに、第２実施の形態に係る太陽熱集熱装置１の施工について説明する。
左右の集熱器５、５間及び左右の集熱器５、５の外周側の上下及び左右に、上述した第１実施の形態と同様に間カバー９、軒側カバー１１、サイドカバー１３及びセンターカバー１７を取り付ける。
次に、図７に示すように、ラック２１の太陽電池パネル取付部２５に棟カバー１８を配置すると共に棟カバー１８の係止部１８ｂをラック２１の係止溝３１に係止し、固定部１８ａを棟カバー固定具５７で間カバー９に固定する。
第２実施の形態においても、間カバー９、軒側カバー１１、サイドカバー１３を各カバー固定具３５ａ〜３５ｃで仮止めした後、最後に各カバー固定具３５ａ〜３５ｃを本締めする。
【００２９】
上述の第１実施の形態によれば、図１に示すように、間カバー９が集熱器５と太陽電池パネル７との間にある集熱器取付部２３、太陽電池パネル取付部２５や、配管がある場合には配管を覆うので、外観が良く且つこれらの劣化を防止できる。
間カバー９は、挟持部３３を間カバー固定具３５ａで締め付けて集熱器５の端部５ｄに固定しているので、取り付け作業が簡単にできる。
ラック２１の集熱器取付部２３と太陽電池パネル取付部２５とには、段差Ｔ１を設けて集熱器５の上面５ａと太陽電池パネル７の上面７ａを略面一にしているので、集熱器５と太陽電池パネル７を併設した場合に統一感を得ることができる。
【００３０】
第２実施の形態によれば、図７に示すように、集熱器５の棟側端部に取り付けた間カバー９と棟側カバー１８とで、ラック２１の太陽電池パネル取付部２５や、配管がある場合には配管を覆うので、外観が良く且つこれらの劣化を防止できる。
【００３１】
第２実施の形態においても、第１実施の形態と同様に、間カバー９は、挟持部３３をカバー固定具３５で締め付けて集熱器５の端部５ｄに固定しているので、間カバー９の取り付け作業が簡単にできる。
ラック２１の集熱器取付部２３と太陽電池パネル取付部２５とには、段差Ｔ１を設けてあり、図１に示すように、集熱器５に太陽電池パネル７を併設する場合には、集熱器５の上面５ａと太陽電池パネル７の上面７ａを略面一にしているので、棟側カバー１８を外して集熱器５と太陽電池パネル７を併設した場合に統一感を得ることができる。
【００３２】
図１に示す第１実施の形態と、図８に示す第２実施の形態において、棟側カバー１８と太陽電池パネル７とは選択自在であり、太陽電池パネル７を併設しない場合には、図７に示すように、間カバー９に棟カバー１８を取付けているので、太陽電池パネル７を併設する場合でも併設しない場合でもいずれの場合にも、棟カバー１８を取り付けるか否かの選択で対応することができ、設置の自由度が高い。
図６に示すように、太陽電池パネル７の棟側に取り付ける棟側カバー１８には、図７に示す集熱器５の棟側に取り付ける棟側カバー１８と同種のものを用いているので、太陽電池パネル７と集熱器５とで棟側カバー１８に同種のものを用いることができ、部品種類を少なくできる。
【００３３】
集熱器５の軒側端部に取り付けた軒側カバー１１は、軒側ラック３７や配管Ｓを覆うので、外観が良いと共にこれらの劣化を防止できる。
軒側カバー１１は、挟持部３３を軒側カバー固定具３５ｂで締め付けて集熱器５の端部５ｄに固定しているので、軒側カバー１１の取り付け作業が簡単にできる。
間カバー固定具３５ａ、軒側カバー固定具３５ｂ、サイドカバー固定具３５ｃ及び隙間カバー固定具３５ｄは同種のボルトを用いているので部品種類を少なくできる。
【００３４】
本発明は、上述した実施の形態に限らず、本発明の要旨を逸脱しない範囲で種々変形可能である。
例えば、太陽熱集熱装置１における、集熱器５と太陽電池パネル７との配置は、図６に示す配置に限らず、例えば、左側に設けた３つの太陽電池パネル７は右側の集熱器５の右側に配置しても良いし、太陽電池パネル７は集熱器５の棟側にのみ配置しても良い。
また、太陽熱集熱装置１に配置する集熱器５は左右に３又は４つ設けても良く、太陽電池パネル７は棟側に２列や３列にしたり、左右側に２列や３列にして配置しても良く、集熱器５及び太陽電池パネル７の数は制限されない。
【符号の説明】
【００３５】
１    太陽熱集熱装置
５    集熱器
５ｄ  端部
７    太陽電池パネル
９    間カバー
１１  軒側カバー
１３  サイドカバー
１５  隙間カバー
２１  ラック（横ラック）
２３  集熱器取付部
２５  太陽電池パネル取付部
３３  挟持部
３５ａ  間カバー固定具
３５ｂ  軒側カバー固定具
３７  ラック（軒側ラック）
【図１】
2014037925.tif 000003
【図２】
2014037925.tif 000004
【図３】
2014037925.tif 000005
【図４】
2014037925.tif 000006
【図５】
2014037925.tif 000007
【図６】
2014037925.tif 000008
【図７】
2014037925.tif 000009
【図８】
2014037925.tif 000010